(57)【要約】【課題】地上波デジタルＴＶ放送と地上波アナログＴＶ放送とが切り替わった際に視聴者が覚え得る違和感や不快感を軽減させる。【解決手段】受信されたデジタルテレビジョン放送又はアナログテレビジョン放送の何れか一方の形式の信号を再生機器に選択的に出力する選択的出力手段と、選択的出力手段によりデジタルテレビジョン放送の信号が選択されたとき、当該信号に含まれる音声信号に所定のフィルタリング処理を施してその周波数応答特性をアナログテレビジョン放送の音声信号の周波数応答特性に近付けるフィルタリング処理手段とを具備したＴＶ放送受信機を提供する。【選択図】図２
2008011019.tif 000002
【特許請求の範囲】
【請求項１】
サイマル方式のデジタルテレビジョン放送とアナログテレビジョン放送を受信するテレビジョン放送受信機において、
受信されたデジタルテレビジョン放送又はアナログテレビジョン放送の何れか一方の形式の信号を再生機器に選択的に出力する選択的出力手段と、
前記選択的出力手段によりデジタルテレビジョン放送の信号が選択されたとき、当該信号に含まれる音声信号に所定のフィルタリング処理を施してその周波数応答特性をアナログテレビジョン放送の音声信号の周波数応答特性に近付けるフィルタリング処理手段と、を具備したこと、を特徴とするテレビジョン放送受信機。
【請求項２】
前記フィルタリング処理手段は、デジタルテレビジョン放送の音声信号の周波数応答特性を、周波数成分が高くなるにつれて減衰率が高くなるように変換すること、を特徴とする請求項１に記載のテレビジョン放送受信機。
【請求項３】
デジタルテレビジョン放送の受信状態を判定する受信状態判定手段を更に具備し、
前記選択的出力手段は、デジタルテレビジョン放送の受信状態が良好であると判定されるときにはデジタルテレビジョン放送の信号を該再生機器に出力し、該受信状態が良好でないと判定されるときにはアナログテレビジョン放送の信号を該再生機器に出力すること、を特徴とする請求項１又は請求項２の何れかに記載のテレビジョン放送受信機。
【請求項４】
サイマル方式のデジタルテレビジョン放送とアナログテレビジョン放送を受信するテレビジョン放送受信機において、
デジタルテレビジョン放送の受信状態を判定する受信状態判定手段と、
受信されたデジタルテレビジョン放送又はアナログテレビジョン放送の何れか一方の形式の信号を再生機器に選択的に出力する選択的出力手段と、
前記選択的出力手段から出力される形式の信号を、前記受信状態判定手段の判定結果に応じたもの、又は、該判定結果に依存しないものの何れかに決定する出力決定手段と、を具備し、
該判定結果に応じたものと決定され且つ前記選択的出力手段によりデジタルテレビジョン放送の信号が選択されたときには、当該信号に含まれる音声信号に所定のフィルタリング処理を施してその周波数応答特性をアナログテレビジョン放送の音声信号の周波数応答特性に近付け、
該判定結果に依存しないものと決定され且つ前記選択的出力手段によりデジタルテレビジョン放送の信号が選択されたときには、当該信号に含まれる音声信号に該フィルタリング処理を施さないこと、を特徴とするテレビジョン放送受信機。
【請求項５】
移動体に備えられていること、を特徴とする請求項１から請求項４の何れかに記載のテレビジョン放送受信機。
【請求項６】
サイマル方式のデジタルテレビジョン放送とアナログテレビジョン放送を受信するテレビジョン放送受信方法において、
受信されたデジタルテレビジョン放送又はアナログテレビジョン放送の何れか一方の形式の信号を再生機器に選択的に出力する選択的出力ステップと、
前記選択的出力ステップによりデジタルテレビジョン放送の信号が選択されたとき、当該信号に含まれる音声信号に所定のフィルタリング処理を施してその周波数応答特性をアナログテレビジョン放送の音声信号の周波数応答特性に近付けるフィルタリング処理ステップと、を含むテレビジョン放送受信方法。
【請求項７】
前記フィルタリング処理ステップにおいて、デジタルテレビジョン放送の音声信号の周波数応答特性を、周波数成分が高くなるにつれて減衰率が高くなるように変換すること、を特徴とする請求項６に記載のテレビジョン放送受信方法。
【請求項８】
デジタルテレビジョン放送の受信状態を判定する受信状態判定ステップを更に含み、
前記選択的出力ステップにおいて、デジタルテレビジョン放送の受信状態が良好であると判定されるときにはデジタルテレビジョン放送の信号を該再生機器に出力し、該受信状態が良好でないと判定されるときにはアナログテレビジョン放送の信号を該再生機器に出力すること、を特徴とする請求項１又は請求項２の何れかに記載のテレビジョン放送受信方法。
【請求項９】
サイマル方式のデジタルテレビジョン放送とアナログテレビジョン放送を受信するテレビジョン放送受信方法において、
デジタルテレビジョン放送の受信状態を判定する受信状態判定ステップと、
受信されたデジタルテレビジョン放送又はアナログテレビジョン放送の何れか一方の形式の信号を再生機器に選択的に出力する選択的出力ステップと、
前記選択的出力ステップにおいて出力される形式の信号を、前記受信状態判定ステップでの判定結果に応じたもの、又は、該判定結果に依存しないものの何れかに決定する出力決定ステップと、
該判定結果に応じたものと決定され且つ前記選択的出力ステップでデジタルテレビジョン放送の信号が選択されたときには、当該信号に含まれる音声信号に所定のフィルタリング処理を施してその周波数応答特性をアナログテレビジョン放送の音声信号の周波数応答特性に近付け、又は、該判定結果に依存しないものと決定され且つ前記選択的出力ステップでデジタルテレビジョン放送の信号が選択されたときには、当該信号に含まれる音声信号に該フィルタリング処理を施さない選択的フィルタリング処理ステップと、を含むテレビジョン放送受信方法。
【発明の詳細な説明】
【技術分野】
【０００１】
この発明は、サイマル方式のデジタルテレビジョン（以下、「テレビジョン」を「ＴＶ」と記す）放送とアナログＴＶ放送を受信するＴＶ放送受信機、及び、ＴＶ放送受信方法に関する。
【背景技術】
【０００２】
近年、記録媒体や機器等において音声や映像をデジタル形式で処理／管理することが一般化している。このような記録媒体や機器等における音声や映像のデジタル符号化の趨勢は放送関連業界にも波及している。放送関連業界では、現在、地上波アナログＴＶ放送から地上波デジタルＴＶ放送への移行が進められている。
【０００３】
この地上波デジタルＴＶ放送は普及しつつある。しかし、ＴＶ放送を地上波アナログＴＶ放送から地上波デジタルＴＶ放送に移行させるためには大規模な設備投資、莫大な時間、労力、費用等が必要とされる。現在は移行を徐々に進めている段階であり、全国的には地上波デジタルＴＶ放送を視聴可／不可な地域が散在するといった状況にある。また地上波デジタルＴＶ放送を視聴するためにはそれに対応した機器が必要である。視聴者は、地上波デジタルＴＶ放送を視聴するためには新たな機器を購入しなければならない。従って現段階でＴＶ放送を地上波デジタルＴＶ放送に一本化してしまうと、多くの視聴者がＴＶ放送を視聴できなくなってしまう。これらの事情を鑑みて、現在、地上波デジタルＴＶ放送と地上波アナログＴＶ放送とのサイマル放送（すなわちデジタル及びアナログの両形式で同一時間に同一内容の番組を放送する方式）が実施されている。
【０００４】
例えば車両に代表される移動体に搭載されたＴＶ放送受信機では、地上波デジタルＴＶ放送を視聴可／不可な地域が散在することが考慮されて、地上波デジタルＴＶ放送と地上波アナログＴＶ放送の両放送を受信できるよう設計されている。例えば下記特許文献１には、サイマル放送に対応したＴＶ放送受信機が開示されている。下記特許文献１に記載のＴＶ放送受信機は、地上波デジタルＴＶ放送の受信信号（以下、「デジタル受信信号」と記す）のエラーレートが基準値を超えるか否かを監視する。エラーレートが基準値以下のときには地上波デジタルＴＶ放送の受信状態が良好であるとして、デジタル受信信号を映像音声出力装置に出力する。一方、エラーレートが基準値を超えたときには地上波デジタルＴＶ放送の受信状態が悪化したものとして、映像音声出力装置に対する出力を地上波アナログＴＶ放送の受信信号（以下、「アナログ受信信号」と記す）に切り替える。すなわち下記特許文献１によれば、デジタル受信信号を優先的に出力し、地上波デジタルＴＶ放送の受信状態が悪化したときに限りアナログ受信信号を出力するＴＶ放送受信機が提供される。
【特許文献１】特許第３５８３９６３号公報
【発明の開示】
【発明が解決しようとする課題】
【０００５】
上記特許文献１に記載のＴＶ放送受信機においてエラーレートが基準値を跨いで変動する状態が継続する場合、映像音声出力装置に出力される受信信号が、デジタル受信信号かアナログ受信信号の何れかに頻繁に切り替わることが想定される。
【０００６】
ここで、地上波デジタルＴＶ放送と地上波アナログＴＶ放送の各形式では音声信号の帯域幅が異なる。具体的には、地上波デジタルＴＶ放送の帯域幅が２０ｋＨｚを越えるのに対して、地上波アナログＴＶ放送の帯域幅は１５ｋＨｚを下回る。すなわち地上波デジタルＴＶ放送は地上波アナログＴＶ放送よりもダイナミックレンジが広く、高域音声成分を再現することが可能である。従って視聴者は、地上波デジタルＴＶ放送を視聴したときに地上波アナログＴＶ放送よりも音に広がりがあると感知し得る。
【０００７】
例えば報道番組では高域音声成分が比較的弱い。これは、報道番組等の音声信号には地上波アナログＴＶ放送で減衰され得る高域音声成分があまり含まれないことを意味する。このため地上波デジタルＴＶ放送と地上波アナログＴＶ放送とで再生される音声に差が生じ難い。従ってこのような番組を視聴する場合、視聴者は、地上波デジタルＴＶ放送と地上波アナログＴＶ放送との音の差（音の広がりやこもり具合の違い）をあまり感じないと考えられる。
【０００８】
これに対して例えば音楽番組では高域音声成分が強く現れ得る。これは、音楽番組等の音声信号には地上波アナログＴＶ放送で減衰され得る高域音声成分が多く含まれることを意味する。このため地上波デジタルＴＶ放送の音声には、地上波アナログＴＶ放送で再生できない高域の音声が多く含まれてしまう。従ってこのような番組を視聴する場合、視聴者は、地上波デジタルＴＶ放送と地上波アナログＴＶ放送との音の差を明瞭に感じると考えられる。
【０００９】
映像音声出力装置に出力される音声が地上波デジタルＴＶ放送か地上波アナログＴＶ放送の何れかに頻繁に切り替わった場合、視聴者は各放送における音の差に起因して、番組の音域が急に広がったと感じたり番組の音が急にこもったと感じたりすることがある。このような音質の変化が短い期間で頻繁に起こってしまうと、視聴者に違和感や不快感を与え得る。
【００１０】
そこで、本発明は上記の事情に鑑みて、地上波デジタルＴＶ放送と地上波アナログＴＶ放送とが切り替わった際に視聴者が覚え得る違和感や不快感を軽減させることができるＴＶ放送受信機及びＴＶ放送受信方法を提供することを課題としている。
【課題を解決するための手段】
【００１１】
上記の課題を解決する本発明の一態様に係るＴＶ放送受信機は、サイマル方式のデジタルＴＶ放送とアナログＴＶ放送を受信する受信機に関するものである。このＴＶ放送受信機は、受信されたデジタルＴＶ放送又はアナログＴＶ放送の何れか一方の形式の信号を再生機器に選択的に出力する選択的出力手段と、選択的出力手段によりデジタルＴＶ放送の信号が選択されたとき、当該信号に含まれる音声信号に所定のフィルタリング処理を施してその周波数応答特性をアナログＴＶ放送の音声信号の周波数応答特性に近付けるフィルタリング処理手段とを具備したことを特徴としたものである。
【００１２】
このように構成されたＴＶ放送受信機によれば、デジタルＴＶ放送の音声信号の周波数応答特性がアナログＴＶ放送の音声信号の周波数応答特性に近付けられる。これにより、再生される形式が切り替わっても音質の変化が軽減されるため、視聴者に与え得る違和感や不快感を軽減させることができる。
【００１３】
なお上記ＴＶ放送受信機においてフィルタリング処理手段が、デジタルＴＶ放送の音声信号の周波数応答特性を、周波数成分が高くなるにつれて減衰率が高くなるように変換しても良い。
【００１４】
また上記ＴＶ放送受信機は、例えばデジタルＴＶ放送の受信状態を判定する受信状態判定手段を更に具備したものであっても良い。この場合、上記選択的出力手段は、デジタルＴＶ放送の受信状態が良好であると判定されるときにはデジタルＴＶ放送の信号を該再生機器に出力し、該受信状態が良好でないと判定されるときにはアナログＴＶ放送の信号を該再生機器に出力するよう動作する。
【００１５】
また上記の課題を解決する本発明の別の態様に係るＴＶ放送受信機は、サイマル方式のデジタルＴＶ放送とアナログＴＶ放送を受信する受信機に関するものである。このＴＶ放送受信機は、デジタルＴＶ放送の受信状態を判定する受信状態判定手段と、受信されたデジタルＴＶ放送又はアナログＴＶ放送の何れか一方の形式の信号を再生機器に選択的に出力する選択的出力手段と、選択的出力手段から出力される形式の信号を、受信状態判定手段の判定結果に応じたもの、又は、該判定結果に依存しないものの何れかに決定する出力決定手段とを具備し、該判定結果に応じたものと決定され且つ選択的出力手段によりデジタルＴＶ放送の信号が選択されたときには、当該信号に含まれる音声信号に所定のフィルタリング処理を施してその周波数応答特性をアナログＴＶ放送の音声信号の周波数応答特性に近付け、該判定結果に依存しないものと決定され且つ選択的出力手段によりデジタルＴＶ放送の信号が選択されたときには、当該信号に含まれる音声信号に該フィルタリング処理を施さないことを特徴としたものである。
【００１６】
ここで、上記ＴＶ放送受信機は例えば移動体に備えられたものであっても良い。
【００１７】
また上記の課題を解決する本発明の一態様に係るＴＶ放送受信方法は、サイマル方式のデジタルＴＶ放送とアナログＴＶ放送を受信する方法に関するものである。このＴＶ放送受信方法は、受信されたデジタルＴＶ放送又はアナログＴＶ放送の何れか一方の形式の信号を再生機器に選択的に出力する選択的出力ステップと、選択的出力ステップによりデジタルＴＶ放送の信号が選択されたとき、当該信号に含まれる音声信号に所定のフィルタリング処理を施してその周波数応答特性をアナログＴＶ放送の音声信号の周波数応答特性に近付けるフィルタリング処理ステップとを含む方法である。
【００１８】
このようなＴＶ放送受信方法によれば、デジタルＴＶ放送の音声信号の周波数応答特性がアナログＴＶ放送の音声信号の周波数応答特性に近付けられる。これにより、再生される形式が切り替わっても音質の変化が軽減されるため、視聴者に与え得る違和感や不快感を軽減させることができる。
【００１９】
なお上記フィルタリング処理ステップにおいて、デジタルＴＶ放送の音声信号の周波数応答特性を、周波数成分が高くなるにつれて減衰率が高くなるように変換しても良い。
【００２０】
また上記ＴＶ放送受信方法は、例えばデジタルＴＶ放送の受信状態を判定する受信状態判定ステップを更に含んだものであっても良い。この場合、選択的出力ステップにおいて、デジタルＴＶ放送の受信状態が良好であると判定されるときにはデジタルＴＶ放送の信号が該再生機器に出力され、該受信状態が良好でないと判定されるときにはアナログＴＶ放送の信号が該再生機器に出力され得る。
【００２１】
また上記の課題を解決する本発明の別の態様に係るＴＶ放送受信方法は、サイマル方式のデジタルＴＶ放送とアナログＴＶ放送を受信する方法に関するものである。このＴＶ放送受信方法は、デジタルＴＶ放送の受信状態を判定する受信状態判定ステップと、受信されたデジタルＴＶ放送又はアナログＴＶ放送の何れか一方の形式の信号を再生機器に選択的に出力する選択的出力ステップと、選択的出力ステップにおいて出力される形式の信号を、受信状態判定ステップでの判定結果に応じたもの、又は、該判定結果に依存しないものの何れかに決定する出力決定ステップと、該判定結果に応じたものと決定され且つ選択的出力ステップでデジタルＴＶ放送の信号が選択されたときには、当該信号に含まれる音声信号に所定のフィルタリング処理を施してその周波数応答特性をアナログＴＶ放送の音声信号の周波数応答特性に近付け、又は、該判定結果に依存しないものと決定され且つ選択的出力ステップでデジタルＴＶ放送の信号が選択されたときには、当該信号に含まれる音声信号に該フィルタリング処理を施さない選択的フィルタリング処理ステップとを含む方法である。
【発明の効果】
【００２２】
本発明に係るＴＶ放送受信機及びＴＶ放送受信方法によれば、デジタルＴＶ放送の音声信号の周波数応答特性をアナログＴＶ放送の音声信号の周波数応答特性に近付けるようフィルタリング処理することにより、地上波デジタルＴＶ放送と地上波アナログＴＶ放送とが切り替わった際に視聴者が覚え得る違和感や不快感を軽減させることが可能となる。
【発明を実施するための最良の形態】
【００２３】
以下、図面を参照して、本発明の実施の形態のＴＶ放送受信機の構成及び作用について説明する。
【００２４】
図１は、本発明の実施の形態のＴＶ放送受信機を具備した映像音声出力装置１００の構成を示したブロック図である。映像音声出力装置１００は例えば移動体である車両に搭載されている。映像音声出力装置１００はサイマル放送に対応したものであり、地上波デジタルＴＶ放送及び地上波アナログＴＶ放送の両方を受信して処理できるよう設計されている。
【００２５】
映像音声出力装置１００は、制御部１０、デジタルＴＶ用アンテナ１１、デジタルＴＶ用チューナ１２、ＯＦＤＭ（Orthogonal Frequency Division Multiplexing：直交周波数分割多重）復調部１３、ＭＰＥＧ（Moving Picture Experts Group）デコーダ１４、ビデオドライバ１５、Ｄ端子接続部１６、音声Ｄ／Ａコンバータ２１、ディエンファシス（de-emphasis）フィルタ２２、音声切替スイッチ２３、オーディオアンプ２４、アナログＴＶ用アンテナ３１、アナログＴＶ用チューナ３２、デジタルビデオフォーマット変換部３３、音声多重復調部３４、メモリ４０、ディスプレイ５０、スピーカ６０Ｒ、６０Ｌ、及び、受光部７０を具備する。
【００２６】
リモート・コントローラ（以下、「リモコン」と記す）８０には映像音声出力装置１００を操作するための操作キーが設けられている。ユーザがリモコン８０を操作すると、その操作に応じた制御パルスがリモコン８０から出力される。この制御パルスは例えばＩｒＤＡ規格に準拠した信号である。受光部７０はこの制御パルスを受信すると、それを制御部１０に受け渡す。なおリモコン８０が操作されているときには、例えばディスプレイ５０の表示が操作画面に切り替わるようにしても良く、或いは、操作に関する文字情報がディスプレイ５０に表示中の画像に重畳表示されるようにしても良い。
【００２７】
制御部１０は映像音声出力装置１００全体の統括的な制御を司る。制御部１０は、例えば自己に実装された各種プログラム及び受光部７０からの制御パルスに基づいて各構成要素を制御するよう動作する。
【００２８】
ここで、映像音声出力装置１００における一連の信号処理について説明する。
【００２９】
先ず、デジタル受信信号の信号処理について説明する。デジタルＴＶ用アンテナ１１は、地上波デジタルＴＶ放送の各チャンネルのＲＦ（Radio Frequency）信号を受信する機能を有する。デジタルＴＶ用アンテナ１１で受信された各ＲＦ信号は、デジタルＴＶ用チューナ１２に入力する。
【００３０】
デジタルＴＶ用チューナ１２は、入力された各ＲＦ信号の中から制御部１０により指定されたチャンネル（以下、「指定チャンネル」と記す）のＲＦ信号を選択して周波数変換を行う。具体的には、安定動作や選択特性が改善される中間周波数すなわちＩＦ（Intermediate Frequency）信号に変換する。周波数変換後のＩＦ信号は、図示しないＢＰＦ（Band Pass Filter）により不要な周波数成分が除去された後、ＯＦＤＭ復調部１３に入力する。
【００３１】
デジタルＴＶ用チューナ１２で選択されるチャンネルは、ユーザ・オペレーションによる選局に従って決定される。具体的には、ユーザがリモコン８０を操作して選局を行うと、その操作に応じた制御パルスがリモコン８０から出力される。受光部７０がこの制御パルスを受信して制御部１０に受け渡すと、制御部１０は、指定チャンネルのＲＦ信号を選択するようデジタルＴＶ用チューナ１２に命令を出す。デジタルＴＶ用チューナ１２はこの命令に従ってチューニング処理を実行する。
【００３２】
なお制御部１０は、デジタルＴＶ用チューナ１２に命令を出すと共に指定チャンネルの情報をメモリ４０に書き込む。従ってメモリ４０には、常に、ユーザが最後に選択したチャンネルの情報（以下、「ラストチャンネル」と記す）を保持されることになる。ユーザによる選局操作が行われていない場合（例えば電源投入直後等）、制御部１０はメモリ４０を参照して、ラストチャンネルに対応するＲＦ信号を選択するようデジタルＴＶ用チューナ１２に命令を出す。
【００３３】
ＯＦＤＭ復調部１３は、入力されたＩＦ信号をＡ／Ｄ変換してデジタル信号に変換する。次いで、変換されたデジタル信号を例えば数千のキャリアに分割し、各キャリア毎に位相を合わせて合成（例えば周知の最大比合成）処理を行った上で復調する。これにより、ＭＰＥＧ−２トランスポートストリーム信号（以下、「ＴＳ信号」と記す）が得られる。このＴＳ信号はＭＰＥＧデコーダ１４に出力される。またＯＦＤＭ復調部１３は、デジタル受信信号の品質を表すＢＥＲ（Bit Error Rate）を制御部１０に受け渡す。
【００３４】
ＭＰＥＧデコーダ１４には入力ポートが２つ設けられている。一方の入力ポート（以下、「第一ＭＰＥＧポート」と記す）はＯＦＤＭ復調部１３に接続されている。もう一方の入力ポート（以下、「第二ＭＰＥＧポート」と記す）はデジタルビデオフォーマット変換部３３に接続されている。ＭＰＥＧデコーダ１４は制御部１０の命令に従って、何れか一方の入力ポートに入力される信号に対して処理を実行する。ここではＭＰＥＧデコーダ１４は、第一ＭＰＥＧポートに入力されるＴＳ信号に対して処理を加えるよう命令を受けているものとする。この場合ＭＰＥＧデコーダ１４は、第一ＭＰＥＧポートに入力されたＴＳ信号をデコードする。これによりＴＳ信号が、デジタルＴＶ放送の映像信号及びデジタルフォーマットの音声信号にデコードされる。この映像信号は例えば輝度信号（Ｙ）及び色差信号（Ｐｂ、Ｐｒ）から成る。デコードされた映像信号はビデオドライバ１５に出力される。また音声信号は音声Ｄ／Ａコンバータ２１に出力される。
【００３５】
デジタルＴＶ放送の映像信号は、ビデオドライバ１５により増幅・出力されてインピーダンス７５Ωのケーブルで伝送される。ビデオドライバ１５から出力された映像信号は、Ｄ端子接続部１６を介してディスプレイ５０に入力する。これにより、地上波デジタルＴＶ放送の番組がディスプレイ５０の画面に表示される。
【００３６】
音声Ｄ／Ａコンバータ２１は、ＭＰＥＧデコーダ１４からの音声信号をＤ／Ａ変換して音声切替スイッチ２３に出力する。この音声Ｄ／Ａコンバータ２１にはディエンファシスフィルタ２２が内蔵されている。ディエンファシスフィルタ２２は制御部１０からの命令に従ってその機能がオン／オフする。ディエンファシスフィルタ２２の機能がオンされている場合、Ｄ／Ａ変換された音声信号は所定のフィルタリング処理を施されて音声切替スイッチ２３に出力される。またディエンファシスフィルタ２２の機能がオフされている場合、Ｄ／Ａ変換された音声信号は上記フィルタリング処理を施されることなく音声切替スイッチ２３に出力される。このフィルタリング処理については後に詳説する。
【００３７】
音声切替スイッチ２３には入力ポートが２つ設けられている。一方の入力ポートは音声Ｄ／Ａコンバータ２１に接続されている。もう一方の入力ポートは音声多重復調部３４に接続されている。音声切替スイッチ２３は制御部１０の命令に従ってスイッチング動作し、何れか一方の入力ポートに入力される音声信号をオーディオアンプ２４に出力する。ここでは音声切替スイッチ２３は、音声Ｄ／Ａコンバータ２１とオーディオアンプ２４を接続するようスイッチング制御されているものとする。
【００３８】
オーディオアンプ２４は音声切替スイッチ２３からの音声信号を増幅してスピーカ６０Ｒ及び６０Ｌに出力する。これにより、地上波デジタルＴＶ放送の番組の音声がスピーカ６０Ｒ及び６０Ｌで再生される。
【００３９】
次に、アナログ受信信号の信号処理について説明する。アナログＴＶ用アンテナ３１は、地上波アナログＴＶ放送の各チャンネルのＲＦ信号を受信する機能を有する。アナログＴＶ用アンテナ３１で受信された各ＲＦ信号は、アナログＴＶ用チューナ３２に入力する。
【００４０】
ここで、メモリ４０にはチャンネルマップが格納されている。このチャンネルマップはサイマル放送に対応した周波数マップであり、地上波デジタルＴＶ放送のチャンネルと、そのチャンネルと同一時間に同一番組を放送している地上波アナログＴＶ放送のチャンネルとの対応関係を表したデータである。
【００４１】
制御部１０は、指定チャンネル又はラストチャンネルを選択するようデジタルＴＶ用チューナ１２に命令を出したとき、アナログＴＶ用チューナ３２にも同様の命令を出す。より詳細には、制御部１０はメモリ４０のチャンネルマップを読み込んで、指定チャンネル又はラストチャンネルに対応した地上波アナログＴＶ放送のチャンネル情報を取得する。そして取得された地上波アナログＴＶ放送のチャンネルを選択するようアナログＴＶ用チューナ３２に命令を出す。
【００４２】
アナログＴＶ用チューナ３２は、入力された各ＲＦ信号の中から制御部１０により指定されたチャンネルのＲＦ信号を選択してＩＦ信号に変換する。次いで、周波数変換後のＩＦ信号を映像信号及び音声信号に分離する。アナログＴＶ用チューナ３２は、分離された映像信号をコンポジット映像信号に復調してデジタルビデオフォーマット変換部３３に出力する。また、分離された音声信号を多重化音声信号に復調して音声多重復調部３４に出力する。
【００４３】
デジタルビデオフォーマット変換部３３は、アナログ形式であるコンポジット映像信号をデジタルビデオフォーマット信号（輝度信号（Ｙ）及び色差信号（Ｃｂ、Ｃｒ）から成る信号）に変換してＭＰＥＧデコーダ１４に出力する。
【００４４】
ここではＭＰＥＧデコーダ１４は、第二ＭＰＥＧポートに入力されるデジタルビデオフォーマット信号に対して処理を加えるように制御部１０から命令を受けているものとする。この場合ＭＰＥＧデコーダ１４は、第二ＭＰＥＧポートに入力されたデジタルビデオフォーマット信号をデコードする。これにより、デジタルビデオフォーマット信号が、アナログＴＶ放送の映像信号（輝度信号（Ｙ）及び色差信号（Ｐｂ、Ｐｒ）から成る信号）にデコードされる。デコードされた映像信号はビデオドライバ１５に出力される。
【００４５】
アナログＴＶ放送の映像信号はビデオドライバ１５により増幅・出力されてインピーダンス７５Ωのケーブルで伝送される。そして、Ｄ端子接続部１６を介してディスプレイ５０に入力する。これにより、地上波アナログＴＶ放送の番組がディスプレイ５０の画面に表示される。
【００４６】
音声多重復調部３４は、アナログＴＶ用チューナ３２からの音声信号を復調して音声切替スイッチ２３に出力する。ここでは音声切替スイッチ２３は、音声多重復調部３４とオーディオアンプ２４を接続するようスイッチング制御されているものとする。従って音声多重復調部３４からの音声信号は、音声切替スイッチ２３を介してオーディオアンプ２４に受け渡される。この音声信号がオーディオアンプ２４により増幅されてスピーカ６０Ｒ及び６０Ｌに出力されると、地上波アナログＴＶ放送の番組の音声がスピーカ６０Ｒ及び６０Ｌにより再生される。
【００４７】
ここで、映像音声出力装置１００では、リモコン８０を用いたユーザ・オペレーションによりハイブリッド機能のオン／オフを設定することができる。このハイブリッド機能は地上波デジタルＴＶ放送の受信状態に応じて、ディスプレイ５０に出力すべき映像信号（及びスピーカ６０Ｒ、６０Ｌに出力すべき音声信号）を地上波デジタルＴＶ放送又は地上波アナログＴＶ放送の何れか一方に切り替える機能である。
【００４８】
ハイブリッド機能がオンされて且つ地上波デジタルＴＶ放送の受信状態が良好であるときには、当該地上波デジタルＴＶ放送による番組がディスプレイ５０及び各スピーカから出力される。また地上波デジタルＴＶ放送の受信状態が悪化したときには、地上波アナログＴＶ放送による番組がディスプレイ５０及び各スピーカで再生される。
【００４９】
一方、ハイブリッド機能がオフされている場合、地上波デジタルＴＶ放送の受信状態に拘わらず地上波デジタルＴＶ放送（又は地上波アナログＴＶ放送）による映像がディスプレイ５０に表示され、その音声がスピーカ６０Ｒ及び６０Ｌで再生される。
【００５０】
なお制御部１０は、ハイブリッド機能設定の制御パルスを受光部７０から受け取ったとき、当該機能がオン又はオフに設定されたことをメモリ４０に書き込む。従ってメモリ４０には、常に、ユーザが上記機能をオン又はオフの何れに設定したかを示す最新の情報（以下、「ラスト機能設定」と記す）を保持されることになる。
【００５１】
次に、本実施形態の映像音声出力装置１００におけるＴＶ放送番組再生処理について説明する。図２に、映像音声出力装置１００におけるＴＶ放送番組再生処理のフローチャートを示す。
【００５２】
図２のフローチャートの処理は、例えば映像音声出力装置１００の電源（不図示）がオンされた時点で開始され、当該電源がオフされた時点で終了する。この処理は所定のタイミング毎に実行される。
【００５３】
映像音声出力装置１００の電源がオンされると、制御部１０は例えばメモリ４０に格納されたラストチャンネル及びチャンネルマップに基づいて、デジタルＴＶ用チューナ１２及びアナログＴＶ用チューナ３２を制御する。次いで、メモリ４０に格納されたラスト機能設定を参照して、ハイブリッド機能がオンされているか否かを判定する（ステップ１、以下、明細書及び図面においてステップを「Ｓ」と略記）。
【００５４】
ハイブリッド機能がオフされていると判定されるとき（Ｓ１：ＮＯ）、制御部１０は、ディスプレイ５０及び各スピーカにより、地上波デジタルＴＶ放送又は地上波アナログＴＶ放送の何れの形式で番組を再生すべきかを判定する（Ｓ２）。何れの形式で番組を再生すべきかについては、例えばユーザ・オペレーションにより任意に設定することができる。
【００５５】
Ｓ２の処理において地上波デジタルＴＶ放送の番組を再生すべきと判定されるとき（Ｓ２：デジタル）、制御部１０は、ディエンファシスフィルタ２２を制御してそのフィルタリング機能をオフにする（Ｓ３）。更に、音声切替スイッチ２３を制御して音声Ｄ／Ａコンバータ２１とオーディオアンプ２４を接続する（Ｓ４）。
【００５６】
制御部１０はＳ４の処理に次いで、デジタル受信信号に対する処理を実行する（Ｓ５）。具体的には、制御部１０は、デジタルＴＶ用チューナ１２、ＯＦＤＭ復調部１３、ＭＰＥＧデコーダ１４等を制御して上述した一連の信号処理を実行する。次いで、一連の信号処理された映像信号がビデオドライバ１５、Ｄ端子接続部１６を介してディスプレイ５０で再生される。また一連の信号処理された音声信号が音声Ｄ／Ａコンバータ２１に入力する。ここではディエンファシスフィルタ２２のフィルタリング機能がオフされているため、上記音声信号はＤ／Ａ変換されてフィルタリング処理を施されることなく音声切替スイッチ２３に出力される。Ｓ４の処理において音声切替スイッチ２３が音声Ｄ／Ａコンバータ２１とオーディオアンプ２４とを接続しているため、音声Ｄ／Ａコンバータ２１からの音声信号がオーディオアンプ２４に入力する。次いで、オーディオアンプ２４における増幅処理を経て、地上波デジタルＴＶ放送の番組の音声がスピーカ６０Ｒ及び６０Ｌで再生される。制御部１０は所定のタイミング後、Ｓ１の処理に復帰する。
【００５７】
Ｓ２の処理において地上波アナログＴＶ放送の番組を再生すべきと判定されるとき（Ｓ２：アナログ）、制御部１０は、音声切替スイッチ２３を制御して音声多重復調部３４とオーディオアンプ２４を接続する（Ｓ６）。
【００５８】
制御部１０はＳ６の処理に次いで、アナログ受信信号に対する処理を実行する（Ｓ７）。具体的には、制御部１０は、アナログＴＶ用チューナ３２を制御してコンポジット映像信号を得る。次いで、デジタルビデオフォーマット変換部３３、ＭＰＥＧデコーダ１４等を制御して上述した一連の信号処理を実行する。最後に、信号処理された映像信号がビデオドライバ１５、Ｄ端子接続部１６を介してディスプレイ５０で再生される。また制御部１０は、アナログＴＶ用チューナ３２及び音声多重復調部３４を制御して信号処理を行う。次いで、信号処理された音声信号が音声切替スイッチ２３に入力する。Ｓ６の処理において音声切替スイッチ２３が音声多重復調部３４とオーディオアンプ２４とを接続しているため、音声多重復調部３４からの音声信号がオーディオアンプ２４に入力する。次いで、オーディオアンプ２４における増幅処理を経て、地上波アナログＴＶ放送の番組の音声がスピーカ６０Ｒ及び６０Ｌで再生される。制御部１０は所定のタイミング後、Ｓ１の処理に復帰する。
【００５９】
またＳ１の処理においてハイブリッド機能がオンされていると判定されるとき（Ｓ１：ＹＥＳ）、制御部１０は、ＯＦＤＭ復調部１３から受け渡されるＢＥＲが所定の閾値より高いか否かを判定する（Ｓ８）。ここでいう所定の閾値とは、例えば受信限界（地上波デジタルＴＶ放送の受信強度が低下して当該放送の音声・映像を正常に出力できない状態）におけるＢＥＲに相当するものである。
【００６０】
Ｓ８の処理においてＢＥＲが所定の閾値よりも高いと判定されるとき（Ｓ８：ＹＥＳ）、制御部１０は、地上波デジタルＴＶ放送の受信状態が悪く、地上波デジタルＴＶ放送の番組をディスプレイ５０で表示できないと判断してＳ６の処理に進む。すなわちディスプレイ５０及び各スピーカで再生する番組を地上波デジタルＴＶ放送から地上波アナログＴＶ放送に切り替える。
【００６１】
またＳ８の処理においてＢＥＲが所定の閾値以下と判定されるとき（Ｓ８：ＮＯ）、制御部１０は、地上波デジタルＴＶ放送の受信状態が良好であると判断してＳ９の処理に進む。なおＯＦＤＭ復調部１３が制御部１０にＢＥＲを受け渡すタイミングは定期的であっても良く、或いは、Ｓ８の処理が実行される時であっても良い。
【００６２】
Ｓ９の処理において制御部１０は、ディエンファシスフィルタ２２を制御してそのフィルタリング機能をオンにする。次いでＳ４及び５の処理を実行して地上波デジタルＴＶ放送の番組をディスプレイ５０及び各スピーカで再生させ、所定のタイミング後にＳ１の処理に復帰する。
【００６３】
すなわち図２のフローチャートの処理によれば、ハイブリッド機能がオフされているときには、ユーザの任意の設定により地上波デジタルＴＶ放送又は地上波アナログＴＶ放送の何れかの形式で番組が再生される。またハイブリッド機能がオンされているときには、地上波デジタルＴＶ放送の受信状態が良好であれば当該形式で番組が再生される。一方、地上波デジタルＴＶ放送の受信状態が悪化していれば地上波アナログＴＶ放送の形式で番組が再生される。
【００６４】
ここで、図３に、各形式の音声の周波数応答特性を示す。図３の曲線Ｄ１はハイブリッド機能オフ時における地上波デジタルＴＶ放送の音声の周波数応答特性である。また曲線Ｄ２はハイブリッド機能オン時における地上波デジタルＴＶ放送の音声の周波数応答特性である。また曲線Ａは地上波アナログＴＶ放送の音声の周波数応答特性である。図３の縦軸はスピーカ６０Ｒ及び６０Ｌにおける音声出力のレベルを示す。また横軸は周波数を示す。ここで、視聴者の耳では出力レベルが−２０ｄＢ程度を下回る音声を聴き取ることができないとする。このような場合、地上波アナログＴＶ放送の帯域幅ＷＡは図３に示されるように１５ｋＨｚ程度となる。一方で地上波デジタルＴＶ放送の帯域幅ＷＤは２０ｋＨｚを上回る。
【００６５】
ハイブリッド機能オン時には、ディスプレイ５０及び各スピーカで再生される番組は、上述したように地上波デジタルＴＶ放送の受信状態に応じて、地上波デジタルＴＶ放送又は地上波アナログＴＶ放送の何れかの形式に自動的に切り替わる。図３に示されるように、スピーカ６０Ｒ及び６０Ｌで再生される音声成分のうち低域側では地上波デジタルＴＶ放送と地上波アナログＴＶ放送の周波数応答特性に顕著な差は見られない。ところが、高域側では地上波アナログＴＶ放送の減衰率が地上波デジタルＴＶ放送の減衰率に比べて著しく高くなる。附言するに、高域側になるにつれて両者の周波数応答特性に顕著な差が出てくる。
【００６６】
ハイブリッド機能オン時において再生形式が切り替わると、スピーカ６０Ｒ及び６０Ｌで再生される帯域幅が周波数応答特性の差に依存して変化する。従って視聴者は、再生形式が切り替わる度に、番組の音域が急に広がったと感じたり番組の音が急にこもったと感じたりすることがある。本実施形態では、地上波デジタルＴＶ放送における高域側の周波数成分を減衰させて、ハイブリッド機能オン時における両形式の周波数応答特性の差を低減している。具体的には、制御部１０が、図２に示されたＳ９の処理においてディエンファシスフィルタ２２のフィルタリング機能をオンする。
【００６７】
ディエンファシスフィルタ２２のフィルタリング機能がオフされているとき、地上波デジタルＴＶ放送の周波数応答特性は全帯域で略一定である（曲線Ｄ１参照）。これに対して地上波アナログＴＶ放送の周波数応答特性は、高域になるにつれて徐々に減衰して、１５ｋＨｚを越える辺りで−２０ｄＢを下回る（曲線Ａ参照）。すなわちこの場合、両形式における周波数応答特性の差は顕著である。
【００６８】
ディエンファシスフィルタ２２のフィルタリング機能がオンされると、ＭＰＥＧデコーダ１４でデコードされた地上波デジタルＴＶ放送の音声信号は、その周波数応答特性が高域になるにつれて徐々に減衰するようフィルタリング処理を施される（曲線Ｄ２参照）。すなわち地上波デジタルＴＶ放送の周波数応答特性がフィルタリング処理により地上波アナログＴＶ放送の周波数応答特性に近付けられる。従ってこの場合、地上波デジタルＴＶ放送と地上波アナログＴＶ放送との周波数応答特性の差が低減する。この結果、視聴者は、再生形式が切り替わっても番組の音域が急に広がったと感じたり番組の音が急にこもったと感じたりすることが少なくなる。例えば高域音声成分が多く含まれる番組（例えば音楽番組等）において再生形式が切り替わったとしても、視聴者がその音声について違和感や不快感を覚えることが少なくなり、その効果は顕著であると言える。
【００６９】
また本実施形態では、上述したようにハイブリッド機能オフ時は再生形式の切替処理が実行されない。例えばハイブリッド機能オフ時において再生形式が地上波デジタルＴＶ放送に設定されているとき、制御部１０は、ディエンファシスフィルタ２２のフィルタリング機能をオフする。これにより、地上波デジタルＴＶ放送の周波数応答特性が全帯域で略一定となり、番組に含まれる高域音声成分（例えば１５ｋＨｚ以上）もスピーカ６０Ｒ及び６０Ｌで再生されるようになる。つまり、スピーカ６０Ｒ及び６０Ｌで再生される音声が広がり（臨場感）を持ったものとなる。
【００７０】
すなわち本実施形態では、再生形式の切替に依存した違和感や不快感が起こり得ない状況では地上波デジタルＴＶ放送の音声信号にフィルタリング処理を施さない。従ってこの場合、視聴者は、地上波デジタルＴＶ放送本来の音質の良さを享受して番組を楽しむことができる。
【００７１】
以上が本発明の実施形態である。本発明はこれらの実施形態に限定されるものではなく様々な範囲で変形が可能である。
【００７２】
なお、本実施形態のＴＶ放送受信機を具備した映像音声出力装置は車載されたものであるが、別の実施の形態では人が携帯するような機器であっても良い。
【００７３】
また図２のＳ２の処理の代替として、Ｓ８の処理と同様にＢＥＲに基づいて出力形式を決定するようにしても良い。
【図面の簡単な説明】
【００７４】
【図１】本発明の実施の形態のＴＶ放送受信機を具備した映像音声出力装置の構成を示したブロック図である。
【図２】本発明の実施の形態の映像音声出力装置におけるＴＶ放送番組再生処理を示したフローチャートである。
【図３】各形式の音声の周波数応答特性を示す。
【符号の説明】
【００７５】
１０  制御部
１１  デジタルＴＶ用アンテナ
１２  デジタルＴＶ用チューナ
１３  ＯＦＤＭ復調部
１４  ＭＰＥＧデコーダ
１５  ビデオドライバ
１６  Ｄ端子接続部
２１  音声Ｄ／Ａコンバータ
２２  ディエンファシスフィルタ
２３  音声切替スイッチ
２４  オーディオアンプ
３１  アナログＴＶ用アンテナ
３２  アナログＴＶ用チューナ
３３  デジタルビデオフォーマット変換部
３４  音声多重復調部
４０  メモリ
５０  ディスプレイ
６０Ｒ、６０Ｌ  スピーカ
７０  受光部
８０  リモコン
１００  映像音声出力装置
【図１】
2008011019.tif 000003
【図２】
2008011019.tif 000004
【図３】
2008011019.tif 000005